(57)【要約】【課題】あらゆる撮影環境においても、１回の撮影によりゴーストの有無を検出し、ゴーストが有る場合にはこのゴーストを補正することが可能な撮像装置を提供する。【解決手段】固体撮像素子５のＧ画素５２とＧ画素５３は、光学開口が互いに逆方向に偏心している。システム制御部１１は、第一の画素群の検出エリア内のＧ画素５２同士の差分が閾値Ｔｈ１以上のときに、当該検出エリアと当該検出エリアとペアを構成する第二の画素群のエリアとにゴーストが発生していると判定し、更に、当該検出エリア内の各Ｇ画素５２の検出信号と、当該各Ｇ画素５２とペアを構成するＧ画素５３の検出信号との差が閾値Ｔｈ２以上のときに、当該検出エリアと、当該検出エリアとペアを構成する第二の画素群のエリアとにそれぞれ発生しているゴーストのレベル差を小さくする補正を行う。【選択図】図４
2014158061.tif 000002
【特許請求の範囲】
【請求項１】
それぞれが複数の画素を含む２つの画素群を有する固体撮像素子を備える撮像装置であって、
各画素群の前記複数の画素は、二次元状に配列された、緑色光を検出する緑色検出画素、青色光を検出する青色検出画素、及び赤色光を検出する赤色検出画素の３種類の画素を含むものであり、
各画素群は、前記３種類の画素がベイヤ状に配列されたものであり、
各画素群の前記複数の画素の配列は、前記緑色検出画素と前記青色検出画素を行方向に交互に並べた第一の画素行と、前記赤色検出画素と前記緑色検出画素を行方向に交互に並べた第二の画素行とを、前記行方向に直交する列方向に交互に並べたものとなっており、
前記２つの画素群の一方の画素群の各画素には、前記各画素に対して所定方向に前記２つの画素群の他方の画素群の当該各画素と同一種類の画素が隣接して配置されており、
前記一方の画素群の各画素の光学開口と、前記他方の画素群の各画素の光学開口とは、互いに逆方向に偏心しており、
前記一方の画素群の各画素と、前記各画素に対して前記所定方向に隣接して配置される前記他方の画素群の画素とで画素のペアが構成され、
前記一方の画素群を分割して得られる、前記第一の画素行に含まれる前記第一色検出画素と前記第二の画素行に含まれる前記緑色検出画素とをそれぞれ少なくとも１つ含む分割エリア毎に、前記分割エリアに含まれる各緑色検出画素の検出信号を用いて、前記分割エリアと前記分割エリアの各緑色検出画素とペアを構成する画素が配置される前記他方の画素群のエリアとにゴーストが発生しているか否かを判定するゴースト有無判定部と、
前記ゴースト有無判定部によりゴーストが発生していると判定された分割エリアの各緑色検出画素の検出信号と、前記各緑色検出画素とペアを構成する画素の検出信号とを用いて、前記ゴーストが発生していると判定された分割エリア及び前記他方の画素群のエリアにそれぞれ発生しているゴーストの画質差を示すデータを算出するゴースト画質差算出部と、
前記画質差を示すデータが第一の閾値を越える場合、前記画質差を示すデータが前記第一の閾値以下となるように、前記分割エリアの各緑色検出画素の検出信号と、前記各緑色検出画素とペアを構成する画素の検出信号との少なくとも一方を補正する信号補正部とを備える撮像装置。
【請求項２】
請求項１記載の撮像装置であって、
前記分割エリアは、前記第一の画素行に含まれる前記緑色検出画素と前記第二の画素行に含まれる前記緑色検出画素とをそれぞれ複数含み、
前記ゴースト有無判定部は、前記分割エリアに含まれる、前記第一の画素行に含まれる前記緑色検出画素の検出信号の平均値と、前記分割エリアに含まれる、前記第二の画素行に含まれる前記緑色検出画素の検出信号の平均値との差分が第二の閾値以上の場合に、前記分割エリア及び前記他方の画素群のエリアに前記ゴーストが発生していると判定し、
前記ゴースト画質差算出部は、前記ゴースト有無判定部によりゴーストが発生していると判定された分割エリアの各緑色検出画素の検出信号の平均値と、前記各緑色検出画素とペアを構成する画素の検出信号の平均値との差分を、前記画質差を示すデータとして算出する撮像装置。
【請求項３】
請求項１記載の撮像装置であって、
前記分割エリアは、前記第一の画素行に含まれる前記緑色検出画素と、前記第一の画素行に含まれる前記青色検出画素と、前記第二の画素行に含まれる前記緑色検出画素と、前記第二の画素行に含まれる前記赤色検出画素とを１つずつ含み、
前記ゴースト有無判定部は、前記分割エリアに含まれる、前記第一の画素行に含まれる前記緑色検出画素の検出信号と、前記分割エリアに含まれる、前記第二の画素行に含まれる前記緑色検出画素の検出信号との差分が第二の閾値以上の場合に、前記分割エリア及び前記他方の画素群のエリアに前記ゴーストが発生していると判定し、
前記ゴースト画質差算出部は、前記ゴースト有無判定部によりゴーストが発生していると判定された分割エリアの各緑色検出画素の検出信号と、前記各緑色検出画素とペアを構成する画素の検出信号との差分を、前記画質差を示すデータとして算出する撮像装置。
【請求項４】
請求項２又は３記載の撮像装置であって、
前記第一の閾値及び前記第二の閾値は、撮影条件に応じて変更される撮像装置。
【請求項５】
それぞれが複数の画素を含む２つの画素群を有する固体撮像素子により撮像して得られる撮像画像のゴーストを補正するゴースト補正方法であって、
各画素群の前記複数の画素は、二次元状に配列された、緑色光を検出する緑色検出画素、青色光を検出する青色検出画素、及び赤色光を検出する赤色検出画素の３種類の画素を含むものであり、
各画素群は、前記３種類の画素がベイヤ状に配列されたものであり、
各画素群の前記複数の画素の配列は、前記緑色検出画素と前記青色検出画素を行方向に交互に並べた第一の画素行と、前記赤色検出画素と前記緑色検出画素を行方向に交互に並べた第二の画素行とを、前記行方向に直交する列方向に交互に並べたものとなっており、
前記２つの画素群の一方の画素群の各画素には、前記各画素に対して所定方向に前記２つの画素群の他方の画素群の当該各画素と同一種類の画素が隣接して配置されており、
前記一方の画素群の各画素の光学開口と、前記他方の画素群の各画素の光学開口とは、互いに逆方向に偏心しており、
前記一方の画素群の各画素と、前記各画素に対して前記所定方向に隣接して配置される前記他方の画素群の画素とで画素のペアが構成され、
前記一方の画素群を分割して得られる、前記第一の画素行に含まれる前記緑色検出画素と前記第二の画素行に含まれる前記緑色検出画素とをそれぞれ少なくとも１つ含む分割エリア毎に、前記分割エリアに含まれる各緑色検出画素の検出信号を用いて、前記分割エリアと前記分割エリアの各緑色検出画素とペアを構成する画素が配置される前記他方の画素群のエリアとにゴーストが発生しているか否かを判定するゴースト有無判定ステップと、
前記ゴースト有無判定ステップによりゴーストが発生していると判定された分割エリアの各緑色検出画素の検出信号と、前記各緑色検出画素とペアを構成する画素の検出信号とを用いて、前記ゴーストが発生していると判定された分割エリア及び前記他方の画素群のエリアにそれぞれ発生しているゴーストの画質差を示すデータを算出するゴースト画質差算出ステップと、
前記画質差を示すデータが第一の閾値を越える場合、前記画質差を示すデータが前記第一の閾値以下となるように、前記分割エリアの各緑色検出画素の検出信号と、前記各緑色検出画素とペアを構成する画素の検出信号との少なくとも一方を補正する信号補正ステップとを備えるゴースト補正方法。
【請求項６】
請求項５記載のゴースト補正方法であって、
前記分割エリアは、前記第一の画素行に含まれる前記緑色検出画素と前記第二の画素行に含まれる前記緑色検出画素とをそれぞれ複数含み、
前記ゴースト有無判定ステップでは、前記分割エリアに含まれる、前記第一の画素行に含まれる前記緑色検出画素の検出信号の平均値と、前記分割エリアに含まれる、前記第二の画素行に含まれる前記緑色検出画素の検出信号の平均値との差分を表す第一の差分が第二の閾値以上の場合に、前記分割エリア及び前記他方の画素群のエリアに前記ゴーストが発生していると判定し、
前記ゴースト画質差算出ステップでは、前記ゴースト有無判定部によりゴーストが発生していると判定された分割エリアの各緑色検出画素の検出信号の平均値と、前記各緑色検出画素とペアを構成する画素の検出信号の平均値との差分を、前記画質差を示すデータとして算出するゴースト補正方法。
【請求項７】
請求項５記載のゴースト補正方法であって、
前記分割エリアは、前記第一の画素行に含まれる前記緑色検出画素と、前記第一の画素行に含まれる前記青色検出画素と、前記第二の画素行に含まれる前記緑色検出画素と、前記第二の画素行に含まれる前記赤色検出画素とを１つずつ含み、
前記ゴースト有無判定ステップでは、前記分割エリアに含まれる、前記第一の画素行に含まれる前記緑色検出画素の検出信号と、前記分割エリアに含まれる、前記第二の画素行に含まれる前記緑色検出画素の検出信号との差分が第二の閾値以上の場合に、前記分割エリア及び前記他方の画素群のエリアに前記ゴーストが発生していると判定し、
前記ゴースト画質差算出ステップでは、前記ゴースト有無判定部によりゴーストが発生していると判定された分割エリアの各緑色検出画素の検出信号と、前記各緑色検出画素とペアを構成する画素の検出信号との差分を、前記画質差を示すデータとして算出するゴースト補正方法。
【請求項８】
請求項６又は７記載のゴースト補正方法であって、
前記第一の閾値及び前記第二の閾値を撮影条件に応じて変更するゴースト補正方法。
【発明の詳細な説明】
【技術分野】
【０００１】
本発明は、撮像装置及びゴースト補正方法に関する。
【背景技術】
【０００２】
デジタルスチルカメラやデジタルビデオカメラ等の撮像装置は、一般に複数のレンズやプリズムから構成された撮像光学系を有している。被写体に太陽や電球などの明るい光源が含まれている場合、その光源の光がレンズ表面や撮像光学系の構造物（ねじ、鏡筒、絞りなど）や撮像素子の表面で反射し、その反射光の像が撮像素子上に結像することがある。この反射光の像が結像して発生する画像は、一般にゴーストと呼ばれる。通常、太陽などの光源を中心に絞りの形状のゴーストが発生したり、構造物の反射がゴーストとなったりする場合が多い。
【０００３】
特許文献１は、フォーカス画像とデフォーカス画像の差分画像を判定画像としてゴーストの有無判定を行い、ゴーストがあると判断したときには、フォーカス画像からゴーストを減算することにより、ゴーストの補正を行う撮像装置を開示している。
【０００４】
特許文献１に記載の撮像装置によれば、あらゆる撮影環境において、ゴーストを精度良く補正することができる。
【先行技術文献】
【特許文献】
【０００５】
【特許文献１】特開２００８−５４２０６号公報
【発明の概要】
【発明が解決しようとする課題】
【０００６】
しかしながら、特許文献１に記載の撮像装置は、ゴーストの検出を行うために、デフォーカス画像を取得するための撮影を実行する必要がある。このため、撮影時間が長くなったり、消費電力が大きくなったりする。
【０００７】
本発明は、上記事情に鑑みてなされたものであり、あらゆる撮影環境においても、１回の撮影によりゴーストの有無を検出し、ゴーストが有る場合にはこのゴーストを補正することが可能な撮像装置及びゴースト補正方法を提供することを目的とする。
【課題を解決するための手段】
【０００８】
本発明の撮像装置は、それぞれが複数の画素を含む２つの画素群を有する固体撮像素子を備える撮像装置であって、各画素群の前記複数の画素は、二次元状に配列された、緑色光を検出する第一色検出画素、青色光を検出する青色検出画素、及び赤色光を検出する赤色検出画素の３種類の画素を含むものであり、各画素群は、前記３種類の画素がベイヤ状に配列されたものであり、各画素群の前記複数の画素の配列は、前記緑色検出画素と前記青色検出画素を行方向に交互に並べた第一の画素行と、前記赤色検出画素と前記緑色検出画素を行方向に交互に並べた第二の画素行とを、前記行方向に直交する列方向に交互に並べたものとなっており、前記２つの画素群の一方の画素群の各画素には、前記各画素に対して所定方向に前記２つの画素群の他方の画素群の当該各画素と同一種類の画素が隣接して配置されており、前記一方の画素群の各画素の光学開口と、前記他方の画素群の各画素の光学開口とは、互いに逆方向に偏心しており、前記一方の画素群の各画素と、前記各画素に対して前記所定方向に隣接して配置される前記他方の画素群の画素とで画素のペアが構成され、前記一方の画素群を分割して得られる、前記第一の画素行に含まれる前記第一色検出画素と前記第二の画素行に含まれる前記第一色検出画素とをそれぞれ少なくとも１つ含む分割エリア毎に、前記分割エリアに含まれる各緑色検出画素の検出信号を用いて、前記分割エリアと前記分割エリアの各緑色検出画素とペアを構成する画素が配置される前記他方の画素群のエリアとにゴーストが発生しているか否かを判定するゴースト有無判定部と、前記ゴースト有無判定部によりゴーストが発生していると判定された分割エリアの各緑色検出画素の検出信号と、前記各緑色検出画素とペアを構成する画素の検出信号とを用いて、前記ゴーストが発生していると判定された分割エリア及び前記他方の画素群のエリアにそれぞれ発生しているゴーストの画質差を示すデータを算出するゴースト画質差算出部と、前記画質差を示すデータが第一の閾値を越える場合、前記画質差を示すデータが前記第一の閾値以下となるように、前記分割エリアの各緑色検出画素の検出信号と、前記各緑色検出画素とペアを構成する画素の検出信号との少なくとも一方を補正する信号補正部とを備えるものである。
【０００９】
本発明のゴースト補正方法は、それぞれが複数の画素を含む２つの画素群を有する固体撮像素子により撮像して得られる撮像画像のゴーストを補正するゴースト補正方法であって、各画素群の前記複数の画素は、二次元状に配列された、緑色光を検出する緑色検出画素、青色光を検出する青色検出画素、及び赤色光を検出する赤色検出画素の３種類の画素を含むものであり、各画素群は、前記３種類の画素がベイヤ状に配列されたものであり、各画素群の前記複数の画素の配列は、前記緑色検出画素と前記青色検出画素を行方向に交互に並べた第一の画素行と、前記赤色検出画素と前記緑色検出画素を行方向に交互に並べた第二の画素行とを、前記行方向に直交する列方向に交互に並べたものとなっており、前記２つの画素群の一方の画素群の各画素には、前記各画素に対して所定方向に前記２つの画素群の他方の画素群の当該各画素と同一種類の画素が隣接して配置されており、前記一方の画素群の各画素の光学開口と、前記他方の画素群の各画素の光学開口とは、互いに逆方向に偏心しており、前記一方の画素群の各画素と、前記各画素に対して前記所定方向に隣接して配置される前記他方の画素群の画素とで画素のペアが構成され、前記一方の画素群を分割して得られる、前記第一の画素行に含まれる前記緑色検出画素と前記第二の画素行に含まれる前記緑色検出画素とをそれぞれ少なくとも１つ含む分割エリア毎に、前記分割エリアに含まれる各緑色検出画素の検出信号を用いて、前記分割エリアと前記分割エリアの各緑色検出画素とペアを構成する画素が配置される前記他方の画素群のエリアとにゴーストが発生しているか否かを判定するゴースト有無判定ステップと、前記ゴースト有無判定ステップによりゴーストが発生していると判定された分割エリアの各緑色検出画素の検出信号と、前記各緑色検出画素とペアを構成する画素の検出信号とを用いて、前記ゴーストが発生していると判定された分割エリア及び前記他方の画素群のエリアにそれぞれ発生しているゴーストの画質差を示すデータを算出するゴースト画質差算出ステップと、前記画質差を示すデータが第一の閾値を越える場合、前記画質差を示すデータが前記第一の閾値以下となるように、前記分割エリアの各緑色検出画素の検出信号と、前記各緑色検出画素とペアを構成する画素の検出信号との少なくとも一方を補正する信号補正ステップとを備えるものである。
【発明の効果】
【００１０】
本発明によれば、あらゆる撮影環境においても、１回の撮影によりゴーストの有無を検出し、ゴーストが有る場合にはこのゴーストを補正することが可能な撮像装置及びゴースト補正方法を提供することができる。
【図面の簡単な説明】
【００１１】
【図１】本発明の一実施形態を説明するための撮像装置の概略構成を示す図
【図２】図１に示される固体撮像素子５の概略構成を示す平面模式図
【図３】ゴーストが発生しているエリアにおける画素の検出信号のレベル差について説明する図
【図４】図１に示されるデジタルカメラにおけるシステム制御部１１の動作を説明するためのフローチャート
【図５】検出エリアの設定例を説明するための図
【図６】図１に示されるデジタルカメラにおけるシステム制御部１１の動作の変形例を説明するためのフローチャート
【図７】図１に示したデジタルカメラに搭載される固体撮像素子５の変形例を示す図
【発明を実施するための形態】
【００１２】
以下、本発明の実施形態について図面を参照して説明する。
【００１３】
図１は、本発明の一実施形態を説明するための撮像装置の概略構成を示す図である。撮像装置としては、デジタルカメラ及びデジタルビデオカメラ等の撮像装置、電子内視鏡及びカメラ付携帯電話機等に搭載される撮像モジュール、等がある。以下では、デジタルカメラを例にして説明する。
【００１４】
図１に示されるデジタルカメラの撮像系は、フォーカスレンズやズームレンズを含む撮影レンズ１と、ＣＣＤ型又はＭＯＳ型の固体撮像素子５と、この両者の間に設けられた絞り２と、赤外線カットフィルタ３と、光学ローパスフィルタ４とを備える。
【００１５】
デジタルカメラの電気制御系全体を統括制御するシステム制御部１１は、フラッシュ発光部１２及び受光部１３を制御する。また、システム制御部１１は、レンズ駆動部８を制御して撮影レンズ１の位置をフォーカス位置に調整したりズーム調整を行ったりする。また、システム制御部１１は、絞り駆動部９を介し絞り２の開口量を制御して露光量調整を行う。
【００１６】
また、システム制御部１１は、撮像素子駆動部１０を制御して固体撮像素子５を駆動し、撮影レンズ１を通して撮像した被写体像を撮像画像信号として出力させる。システム制御部１１には、操作部１４を通してユーザからの指示信号が入力される。
【００１７】
デジタルカメラの電気制御系は、更に、固体撮像素子５の出力に接続された相関二重サンプリング処理等のアナログ信号処理を行うアナログ信号処理部６と、このアナログ信号処理部６から出力されたＲＧＢの色信号をデジタル信号に変換するＡ／Ｄ変換回路７とを備える。アナログ信号処理部６とＡ／Ｄ変換回路７はシステム制御部１１によって制御される。
【００１８】
更に、このデジタルカメラの電気制御系は、メインメモリ１６と、メインメモリ１６に接続されたメモリ制御部１５と、補間演算やガンマ補正演算，ＲＧＢ／ＹＣ変換処理等を行って画像データを生成するデジタル信号処理部１７と、デジタル信号処理部１７で生成された画像データをＪＰＥＧ形式に圧縮したり圧縮画像データを伸張したりする圧縮伸張処理部１８と、着脱自在の記録媒体２１が接続される外部メモリ制御部２０と、カメラ背面等に搭載された液晶表示部２３が接続される表示制御部２２とを備える。
【００１９】
メモリ制御部１５、デジタル信号処理部１７、圧縮伸張処理部１８、外部メモリ制御部２０、及び表示制御部２２は、制御バス２４及びデータバス２５によって相互に接続され、システム制御部１１からの指令によって制御される。
【００２０】
図２は、図１に示される固体撮像素子５の概略構成を示す平面模式図である。
【００２１】
固体撮像素子５は、行方向Ｘとこれに直交する列方向Ｙに二次元状（図２の例では正方格子状）に配列された複数の画素５２からなる第一の画素群と、第一の画素群と同じ配列の複数の画素５３からなる第二の画素群とを有する。
【００２２】
各画素５２は、フォトダイオード等の光電変換部とその上方に設けられるカラーフィルタとを含む。全ての画素５２に含まれるカラーフィルタの配列はベイヤ配列となっている。
【００２３】
各画素５３は、フォトダイオード等の光電変換部とその上方に設けられるカラーフィルタとを含む。全ての画素５３に含まれるカラーフィルタの配列はベイヤ配列となっている。
【００２４】
図２において、“Ｒ”を付した画素は、赤色光を検出する画素である。また、“Ｇ”を付した画素は、緑色光を検出する画素である。また、“Ｂ”を付した画素は、青色光を検出する画素である。以下では、“Ｒ”を付した画素５２，５３をＲ画素５２，Ｒ画素５３とも言う。また、“Ｇ”を付した画素５２，５３をＧ画素５２，Ｇ画素５３とも言う。また、“Ｂ”を付した画素５２，５３をＢ画素５２，Ｂ画素５３とも言う。
【００２５】
固体撮像素子５の第一の画素群は、Ｇ画素５２とＲ画素５２が行方向Ｘに交互に並べられた画素行であるＧＲ画素行と、Ｂ画素５２とＧ画素５２が行方向Ｘに交互に並べられた画素行であるＢＧ画素行との２種類の画素行を含む。この２種類の画素行は、列方向Ｙに交互に並べられている。
【００２６】
第一の画素群の各画素５２の隣には、各画素５２に対して所定方向（図２の例では右斜め下方向）に、当該各画素５２と同色光を検出する第二の画素群の画素５３が配置されている。そして、各画素５２と、これに当該所定方向で隣接する画素５３とで画素のペアを構成している。
【００２７】
各画素５２の光学開口５２ｋ（画素５２に含まれる光電変換部の開口）と、各画素５３の光学開口５３ｋ（画素５３に含まれる光電変換部の開口）とは、図２に示されるように、行方向Ｘにおいて互いに逆方向に偏心している。したがって、第一の画素群によって撮影される画像データと、第二の画素群によって撮影される画像データとには視差が生じる。このデジタルカメラは、この視差のある２つの画像データを利用して、立体視可能な立体画像データを生成する。なお、各画素５２の光学開口５２ｋと、各画素５３の光学開口５３ｋとは、列方向Ｙにおいて互いに逆方向に偏心しているものであってもよい。
【００２８】
この固体撮像素子５により、ゴーストが発生する条件（例えば受光面に対し斜め方向から強い光を入射した状態）で撮影を行うと、第一の画素群から出力される撮像画像信号と第二の画素群から出力される撮像画像信号の各々に、ゴーストが発生する。第一の画素群と第二の画素群は、光学開口の位置が互いに異なる。このため、第一の画素群から出力される撮像画像信号に含まれるゴーストと、第二の画素群から出力される撮像画像信号に含まれるゴーストは、全く同じにはならない。この結果、立体画像データを再生したときに、ゴーストの見え方が不自然になってしまうことがある。以下、この現象について詳しく説明する。
【００２９】
なお、ゴーストは、撮像画像信号において発生するが、撮像画像信号におけるゴーストを構成する各信号（ゴースト成分）と、この各信号の出力元の画素とは一対一で対応する。このため、本明細書においては、固体撮像素子５の任意の画素から得られた画素信号にゴースト成分が含まれることを、当該任意の画素にゴーストが発生していることと同義として説明する。
【００３０】
固体撮像素子５に対し、ゴーストを発生し得る強い斜め光（例えば、図３中のＸ方向左から右に向かう斜め光）が入射した場合において、ゴーストが発生する領域である図３の破線で囲った領域にある第一の画素群の４つの画素５２に着目する。
【００３１】
図３の破線で囲った第一の画素群の４つの画素５２のうち、左上のＧ画素５２（以下、左上Ｇ画素５２とも言う）の左隣にはＲ画素５２が存在し、左上Ｇ画素５２とペアを構成するＧ画素５３（以下、左上Ｇ画素５３とも言う）の左隣にはＲ画素５３が存在する。Ｒ画素５２とＲ画素５３は、光学開口がＸ方向に偏心している。このため、これらＲ画素５２，５３から漏れ出して隣の左上Ｇ画素５２，左上Ｇ画素５３に漏れ出す光の量は、それぞれ異なる。その結果、左上Ｇ画素５２の検出信号と、左上Ｇ画素５３の検出信号とには、レベル差が生じる。このレベル差は、Ｇ画素５２とＧ画素５３の光学開口の違いによって生じる成分と、隣接画素から漏れこんできた光量の差に起因する成分とを含む。
【００３２】
また、左上Ｇ画素５２と、図３の破線で囲った第一の画素群の４つの画素５２のうちの右下のＧ画素５２（以下、右下Ｇ画素５２とも言う）のそれぞれの左隣には、種類の異なる画素（Ｒ画素５２とＢ画素５２）が配置されている。このため、左上Ｇ画素５２の検出信号と右下Ｇ画素５２の検出信号とには、隣接画素から漏れこんできた光量の差に起因するレベル差が生じる。
【００３３】
また、図３の破線で囲った第一の画素群の４つの画素５２のうちの右下Ｇ画素５２を除く各画素５２と、これとペアを構成する画素５３との間にも、隣接画素から漏れこんできた光量の差に起因する検出信号のレベル差が生じる。
【００３４】
以上のように、図３の破線で囲った領域にある４つの画素５２の検出信号にゴースト成分が含まれる場合（言い換えると、図３の破線で囲った領域にゴーストが発生している場合）、図３の破線で囲ったエリアにおいて、左上Ｇ画素５２の検出信号と右下Ｇ画素５２の検出信号との間に第一の閾値以上のレベル差が生じる。
【００３５】
また、図３の破線で囲った領域にある４つの画素５２の検出信号にゴースト成分が含まれる場合、当該４つの画素５２とペアを構成する４つの画素５３の検出信号にもゴースト成分が含まれることになる。しかし、これら２つのゴースト成分は開口の違いによって一致しない。したがって、図３の破線で囲った領域にある各画素５２の検出信号と、この各画素５２とペアを構成する画素５３の検出信号との間にも、第二の閾値以上のレベル差が生じる。
【００３６】
図１に示されるデジタルカメラでは、システム制御部１１が、固体撮像素子５の第一の画素群に対し、行方向Ｘ及び列方向Ｙに隣接する２行２列の計４つの画素５２を含む検出エリア（図３に示した破線で囲った領域）毎に、その検出エリアに含まれる２つのＧ画素５２の検出信号の差を求め、この検出信号の差に基づいて、この検出エリアにゴーストが発生しているか否かを判定する。
【００３７】
検出エリアにゴーストが発生していると判定された場合に、システム制御部１１は、その検出エリア内の各画素５２の検出信号と、当該各画素５２とペアを構成する画素５３の検出信号との差を算出し、この差が、立体画像データにおけるゴーストの見え方に影響を与える程度の大きさになっている場合には、ゴーストの見え方が不自然とならない程度に、この差を小さくする補正を行う。
【００３８】
このようにして、システム制御部１１は、第一の画素群と第二の画素群の各々に対して、ゴーストが発生している領域を判定し、ゴーストが発生している領域における、第一の画素群と第二の画素群の検出信号のレベル差を補正する。
【００３９】
以下、システム制御部１１の動作についてフローチャートを参照して説明する。
【００４０】
図４は、図１に示されるデジタルカメラにおけるシステム制御部１１の動作を説明するためのフローチャートである。
【００４１】
操作部１４に含まれるレリーズボタンが押下されると、システム制御部１１は、撮像素子駆動部１０を制御して、固体撮像素子５に撮像を行わせる。この撮像により、第一の画素群から出力された第一の撮像画像信号と、第二の画素群から出力された第二の撮像画像信号とを含む撮像画像信号が固体撮像素子５から出力される。
【００４２】
出力された撮像画像信号は、アナログ信号処理、デジタル変換処理が行われた後、メインメモリ１６に一時記憶される。システム制御部１１は、このメインメモリ１６に記憶された撮像画像信号に対して、以下に説明する処理を行う。
【００４３】
まず、システム制御部１１は、第一の画素群を、図５に示すように、２行２列の計４つの画素５２を１つの検出エリア（図５の破線で囲ったエリア）とする複数の検出エリアに分割する。
【００４４】
そして、システム制御部１１は、任意の検出エリアに対し、当該任意の検出エリア内の２つのＧ画素５２の検出信号同士の差分（絶対値）を算出する（ステップＳ１）。
【００４５】
次に、システム制御部１１は、ステップＳ１において算出した差分が閾値Ｔｈ１以上か否かを判定する（ステップＳ２）。
【００４６】
ステップＳ２の判定の結果、ステップＳ１において算出した差分が閾値Ｔｈ１未満であった場合、システム制御部１１は、ステップＳ１において差分算出対象となった検出エリアにはゴーストが発生していないと判定する。そして、システム制御部１１は、ステップＳ７において、全ての検出エリアに対してステップＳ１以降の処理を終了したか否かを判定する。ステップＳ７の判定がＮＯの場合、システム制御部１１は、検出エリアを未処理のものに変更し、変更後の検出エリアに対して、再びステップＳ１以降の処理を行う。
【００４７】
ステップＳ２の判定の結果、ステップＳ１において算出した差分が閾値Ｔｈ１以上であった場合、システム制御部１１は、ステップＳ１において差分算出対象となった検出エリアと、この検出エリアの各画素５２とペアを構成する画素５３が配置された第二の画素群のエリア（以下、検出エリアとペアを構成する第二の画素群のエリアと言う）とに、それぞれゴーストが発生していると判定する（ステップＳ３）。
【００４８】
次に、システム制御部１１は、ステップＳ１において差分算出対象となった検出エリアに含まれる各Ｇ画素５２の検出信号（以下、第一の検出信号とも言う）と、当該各画素５２とペアを構成するＧ画素５３の検出信号（以下、第二の検出信号とも言う）との差分（絶対値）を算出する（ステップＳ４）。
【００４９】
なお、この差分には、ステップＳ１において差分算出対象となった検出エリアに含まれる左上Ｇ画素５２の検出信号と、当該左上Ｇ画素５２とペアを構成するＧ画素５３の検出信号との差分と、ステップＳ１において差分算出対象となった検出エリアに含まれる右下Ｇ画素５２の検出信号と、当該右下Ｇ画素５２とペアを構成するＧ画素５３の検出信号との差分との２種類が含まれる。しかし、左上Ｇ画素５２と右下Ｇ画素５２は光学開口が一致しており、また、位置も近接しているため、この２種類の差分の値はほぼ一致する。ステップＳ４において算出された差分が、ステップＳ１において差分算出対象となった検出エリアに発生するゴーストと、この検出エリアとペアを構成する第二の画素群のエリアに発生するゴーストとの画質差を示すデータとなる。
【００５０】
ステップＳ４において算出された差分が閾値Ｔｈ２以上である場合（ステップＳ５：ＹＥＳ）、システム制御部１１は、ステップＳ１において差分算出対象となった検出エリアに発生するゴーストと、この検出エリアとペアを構成する第二の画素群のエリアに発生するゴーストには、それぞれのゴーストを立体視した場合に違和感を与えてしまう程度の画質差が発生していると判定する。そして、システム制御部１１は、ステップＳ４で算出された差分が閾値Ｔｈ２以下となるように、第一の検出信号と第二の検出信号の少なくとも一方のレベルを補正する（ステップＳ６）。
【００５１】
例えば、システム制御部１１は、左上Ｇ画素５２の検出信号と、左上Ｇ画素５２とペアを構成するＧ画素５３の検出信号と、右下Ｇ画素５２の検出信号と、右下Ｇ画素５２とペアを構成するＧ画素５３の検出信号とのうち、左上Ｇ画素５２の検出信号と右下Ｇ画素５２の検出信号とに一律のゲインを乗じることで補正を行う。
【００５２】
ステップＳ４において算出された差分が閾値Ｔｈ２未満である場合（ステップＳ５：ＮＯ）、システム制御部１１は、ステップＳ１において差分算出対象となった検出エリアに発生するゴーストと、この検出エリアとペアを構成する第二の画素群のエリアに発生するゴーストには、それぞれのゴーストを立体視した場合に違和感を与えてしまう程度の画質差が発生していないと判定する。そして、システム制御部１１は、ステップＳ７の処理を行う。
【００５３】
ステップＳ７の判定がＹＥＳの場合、即ち、全ての検出エリアに対して、ステップＳ１以降の処理が行われた場合、システム制御部１１は、ゴーストの検出及び補正動作を終了する。
【００５４】
Ｇ画素５２とＧ画素５３は光学開口が互いに逆方向に偏心している画素である。このため、各検出エリアにおいて、Ｇ画素５２の検出信号と、このＧ画素５２とペアを構成するＧ画素５３の検出信号とに、閾値Ｔｈ２以上のレベル差があった場合でも、このＧ画素５２及びＧ画素５３を含むエリアにゴーストが発生しているとは言い切れない。
【００５５】
そこで、前述したように、システム制御部１１は、第一の画素群の各検出エリアに対し、各検出エリアに含まれる２つのＧ画素５２の各々の検出信号の差分に基づいて、ゴーストの発生の有無を判定する。そして、ゴーストが発生していると判定した検出エリアのＧ画素５２と、当該Ｇ画素５２とペアを構成するＧ画素５３とに対しては、検出信号の差分が閾値Ｔｈ２以上となっている場合にのみ、システム制御部１１が、当該差分が閾値Ｔｈ２未満となるように検出信号の補正を行う。このような処理により、ゴーストが発生しているエリアを正確に判定することができる。また、ゴーストが発生しているエリアであっても、立体視したときに違和感を生じさせてしまうようなゴーストに対してのみ、補正を行うことができる。
【００５６】
したがって、本実施形態のデジタルカメラによれば、ゴーストの検出を精度良く行なうことができるとともに、立体画像を表示した場合でも、違和感のないゴーストを視認させることができる。また、このデジタルカメラでは、必要なエリアのみゴーストのレベル補正を行うため、ゴーストの補正に要する時間を長くすることなく、違和感のないゴーストを視認させることが可能となる。
【００５７】
なお、図４のフローチャートにおいて、ステップＳ６の後に、システム制御部１１が、ステップＳ１において差分算出対象となった検出エリア内のＲ画素５２の検出信号（第三の検出信号）と、このＲ画素５２とペアを構成するＲ画素５３の検出信号（第四の検出信号）との検出信号差（絶対値）を算出する。そして、この検出信号差が閾値Ｔｈ３以上のときに、システム制御部１１は、検出信号差が閾値Ｔｈ３未満となるように、第三の検出信号と第四の検出信号の少なくとも一方を補正する。また、システム制御部１１は、この検出信号差が閾値Ｔｈ３未満のときに、ステップＳ７の処理を行うようにしてもよい。
【００５８】
更に、第三の検出信号と第四の検出信号の少なくとも一方を補正する処理の後に、システム制御部１１が、ステップＳ１において差分算出対象となった検出エリア内のＢ画素５２の検出信号（第五の検出信号）と、このＢ画素５２とペアを構成するＢ画素５３の検出信号（第六の検出信号）との検出信号差（絶対値）を算出する。そして、この検出信号差が閾値Ｔｈ４以上のときに、システム制御部１１は、検出信号差が閾値Ｔｈ４未満となるように、第五の検出信号と第六の検出信号の少なくとも一方を補正する。また、この検出信号差が閾値Ｔｈ４未満のときに、システム制御部１１は、ステップＳ７の処理を行うようにしてもよい。
【００５９】
第三の検出信号と第四の検出信号の差分算出処理、及び、第三の検出信号と第四の検出信号の少なくとも一方を補正する処理と、第五の検出信号と第六の検出信号の差分を算出処理、及び、第五の検出信号と第六の検出信号の少なくとも一方を補正する処理とは、順番を逆にしてもよい。
【００６０】
ゴーストは、検出信号に含まれる輝度成分に影響を大きく受けるため、図４のフローチャートに示したように、ステップＳ６においてＧ画素の検出信号のみを補正するだけでも、ゴーストの画質改善効果を十分に得ることができる。
【００６１】
また、以上の説明では、第一の画素群を複数の検出エリアに分割し、各検出エリアに対して図４のステップＳ１以降の処理を行うものとした。しかし、第二の画素群を複数の検出エリアに分割し、各検出エリアに対して図４のステップＳ１以降の処理を行ってもよい。この場合のフローチャートは、図４における第一の画素群と第二の画素群の表記を逆にしたものとなる。
【００６２】
また、システム制御部１１は、図４のステップＳ１〜ステップＳ３の処理を全ての検出エリアに対して行った後、ゴーストが発生していると判定した各検出エリアに対し、図４のステップＳ４〜ステップＳ６の処理を行ってもよい。
【００６３】
このような処理によれば、例えば、図５に示した６つの検出エリアのうち、右上にある検出エリアだけがゴーストが発生していると判定された検出エリアであった場合に、この検出エリアに含まれる各画素５２と当該各画素５２とペアを構成する画素５３の検出信号を、その検出エリアの隣にある、ゴーストが発生していないと判定された検出エリアに含まれる各画素５２と、この画素５２とペアを構成する画素５３の検出信号に置き換える単純な処理により、ステップＳ６の処理を行うことができる。
【００６４】
また、システム制御部１１が、第一の画素群を、図５に示した検出エリアをそれぞれ複数個含む複数のブロックに分割し、分割ブロック毎に、ゴーストの発生の有無の判定処理、ゴーストの補正処理を行うようにしてもよい。
【００６５】
図６は、図１に示されるデジタルカメラにおけるシステム制御部１１の動作の変形例を説明するためのフローチャートである。
【００６６】
撮像が終了して、固体撮像素子５から出力された撮像画像信号がメインメモリ１６に記憶されると、システム制御部１１は、第一の画素群を、例えば、図５に示した検出エリアを４つずつ含む複数のブロックに分割する。
【００６７】
そして、システム制御部１１は、任意の分割ブロックに対し、当該任意の分割ブロック内のＧＲ画素行にあるＧ画素５２の検出信号の平均値と、当該任意の分割ブロック内のＢＧ画素行にあるＧ画素５２の検出信号の平均値との差分（絶対値）を算出する（ステップＳ１１）。
【００６８】
次に、システム制御部１１は、ステップＳ１１において算出した差分が閾値Ｔｈ１以上か否かを判定する（ステップＳ１２）。
【００６９】
ステップＳ１２の判定の結果、ステップＳ１１において算出した差分が閾値Ｔｈ１未満であった場合、システム制御部１１は、ステップＳ１１において差分算出対象となった分割ブロックにはゴーストが発生していないと判定し、ステップＳ１７において、全ての分割ブロックに対してステップＳ１１以降の処理が終了したか否かを判定する。ステップＳ１７の判定がＮＯの場合、システム制御部１１は、分割ブロックを未処理のものに変更し、変更後の分割ブロックに対し、再びステップＳ１１以降の処理を行う。
【００７０】
ステップＳ１２の判定の結果、ステップＳ１１において算出した差分が閾値Ｔｈ１以上であった場合、システム制御部１１は、ステップＳ１１において差分算出対象となった分割ブロックにゴーストが発生している判定する（ステップＳ３）。
【００７１】
次に、システム制御部１１は、ステップＳ１１において差分算出対象となった分割ブロックに含まれる各Ｇ画素５２の検出信号（以下、第七の検出信号とも言う）の平均値と、当該各画素５２とペアを構成するＧ画素５３の検出信号（以下、第八の検出信号とも言う）の平均値との差分（絶対値）を算出する（ステップＳ１４）。ここで算出される差分が、ステップＳ１１において差分算出対象となった分割ブロックに発生するゴーストと、この分割ブロックに含まれる各検出エリアとペアを構成する第二の画素群のエリアに発生するゴーストとの画質差を示すデータとなる。
【００７２】
ステップＳ１４において算出された差分が閾値Ｔｈ２以上である場合（ステップＳ１５：ＹＥＳ）、システム制御部１１は、ステップＳ１１において差分算出対象となった分割ブロックに発生するゴーストと、この分割ブロックに含まれる各検出エリアとペアを構成する第二の画素群のエリアに発生するゴーストには、それぞれのゴーストを立体視した場合に違和感を与えてしまう程度の画質差が発生していると判定する。そして、システム制御部１１は、第七の検出信号の平均値と第八の検出信号の平均値との差分が閾値Ｔｈ２以下となるように、第七の検出信号と第八の検出信号の少なくとも一方のレベルを補正する（ステップＳ１６）。
【００７３】
例えば、システム制御部１１は、分割ブロック内の各Ｇ画素５２の検出信号に一律のゲインを乗じることで、第七の検出信号の平均値と第八の検出信号の平均値との差分が閾値Ｔｈ２以下となるようにする。
【００７４】
ステップＳ１４において算出された差分が閾値Ｔｈ２未満である場合（ステップＳ１５：ＮＯ）、システム制御部１１は、ステップＳ１１において差分算出対象となった分割ブロックに発生するゴーストと、この分割ブロックに含まれる各検出エリアとペアを構成する第二の画素群のエリアに発生するゴーストには、それぞれのゴーストを立体視した場合に違和感を与えてしまう程度の画質差が発生していないと判定する。そして、システム制御部１１は、ステップＳ１７の処理を行う。
【００７５】
ステップＳ１７の判定がＹＥＳの場合、即ち、全ての分割ブロックに対して、ステップＳ１１以降の処理が行われた場合、システム制御部１１は、ゴーストの検出及び補正動作を終了する。
【００７６】
以上のように、検出エリア単位ではなく、分割ブロック単位でゴーストを検出し、ゴーストの補正を行うことで、ゴーストの検出及び補正に要する時間を短縮することができる。
【００７７】
なお、ここまで述べた閾値Ｔｈ１，Ｔｈ２は、デジタルカメラに搭載される絞り２の絞り値や、撮影レンズ１に含まれるズームレンズのズーム倍率等によって最適な値が決まる。このため、システム制御部１１の内部メモリに、絞り値やズーム倍率等の撮影条件毎に閾値Ｔｈ１，Ｔｈ２を記憶しておき、システム制御部１１が、設定されている撮影条件に応じた閾値Ｔｈ１，Ｔｈ２をこの内部メモリから読み出して、図４，６に示した処理において使用することが好ましい。このようにすることで、撮影条件が変更された場合でも、ゴーストの検出及び補正精度を維持することができる。
【００７８】
図７は、図１に示したデジタルカメラに搭載される固体撮像素子５の変形例を示す図である。
【００７９】
図７に示した固体撮像素子５ａは、第一の画素群の各画素５２の下方向の隣に、当該各画素５２と同色光を検出する画素５３が配置されている点を除いては、図２に示した構成と同じである。なお、図７では、各画素の形状を、図２に示した各画素を４５度回転させたものとし、光学開口５２ｋ，５３ｋの形状を長方形としている。
【００８０】
固体撮像素子５ａであっても、図７において破線で囲ったエリアを検出エリアとして、第一の画素群を複数の検出エリアに分割し、各検出エリアに対して、図４に示した処理を行うことで、固体撮像素子５を用いたときと同様の効果を得ることができる。
【００８１】
以上説明してきたように、本明細書には次の事項が開示されている。
【００８２】
開示された撮像装置は、それぞれが複数の画素を含む２つの画素群を有する固体撮像素子を備える撮像装置であって、各画素群の前記複数の画素は、二次元状に配列された、緑色光を検出する緑色検出画素、青色光を検出する青色検出画素、及び赤色光を検出する赤色検出画素の３種類の画素を含むものであり、各画素群の前記複数の画素の配列は、前記緑色検出画素と前記青色検出画素を行方向に交互に並べた第一の画素行と、前記赤色検出画素と前記緑色検出画素を行方向に交互に並べた第二の画素行とを、前記行方向に直交する列方向に交互に並べたものとなっており、前記２つの画素群の一方の画素群の各画素には、前記各画素に対して所定方向に前記２つの画素群の他方の画素群の当該各画素と同一種類の画素が隣接して配置されており、前記一方の画素群の各画素の光学開口と、前記他方の画素群の各画素の光学開口とは、互いに逆方向に偏心しており、前記一方の画素群の各画素と、前記各画素に対して前記所定方向に隣接して配置される前記他方の画素群の画素とで画素のペアが構成され、前記一方の画素群を分割して得られる、前記第一の画素行に含まれる前記緑色検出画素と前記第二の画素行に含まれる前記緑色検出画素とをそれぞれ少なくとも１つ含む分割エリア毎に、前記分割エリアに含まれる各緑色検出画素の検出信号を用いて、前記分割エリアと前記分割エリアの各緑色検出画素とペアを構成する画素が配置される前記他方の画素群のエリアとにゴーストが発生しているか否かを判定するゴースト有無判定部と、前記ゴースト有無判定部によりゴーストが発生していると判定された分割エリアの各緑色検出画素の検出信号と、前記各緑色検出画素とペアを構成する画素の検出信号とを用いて、前記ゴーストが発生していると判定された分割エリア及び前記他方の画素群のエリアにそれぞれ発生しているゴーストの画質差を示すデータを算出するゴースト画質差算出部と、前記画質差を示すデータが第一の閾値を越える場合、前記画質差を示すデータが前記第一の閾値以下となるように、前記分割エリアの各緑色検出画素の検出信号と、前記各緑色検出画素とペアを構成する画素の検出信号との少なくとも一方を補正する信号補正部とを備えるものである。
【００８３】
開示された撮像装置は、前記分割エリアは、前記第一の画素行に含まれる前記緑色検出画素と前記第二の画素行に含まれる前記緑色検出画素とをそれぞれ複数含み、前記ゴースト有無判定部は、前記分割エリアに含まれる、前記第一の画素行に含まれる前記緑色検出画素の検出信号の平均値と、前記分割エリアに含まれる、前記第二の画素行に含まれる前記緑色検出画素の検出信号の平均値との差分が第二の閾値以上の場合に、前記分割エリア及び前記他方の画素群のエリアに前記ゴーストが発生していると判定し、前記ゴースト画質差算出部は、前記ゴースト有無判定部によりゴーストが発生していると判定された分割エリアの各緑色検出画素の検出信号の平均値と、前記各緑色検出画素とペアを構成する画素の検出信号の平均値との差分を、前記画質差を示すデータとして算出するものである。
【００８４】
開示された撮像装置は、前記分割エリアは、前記第一の画素行に含まれる前記緑色検出画素と、前記第一の画素行に含まれる前記青色検出画素と、前記第二の画素行に含まれる前記緑色検出画素と、前記第二の画素行に含まれる前記赤色検出画素とを１つずつ含み、前記ゴースト有無判定部は、前記分割エリアに含まれる、前記第一の画素行に含まれる前記緑色検出画素の検出信号と、前記分割エリアに含まれる、前記第二の画素行に含まれる前記緑色検出画素の検出信号との差分が第二の閾値以上の場合に、前記分割エリア及び前記他方の画素群のエリアに前記ゴーストが発生していると判定し、前記ゴースト画質差算出部は、前記ゴースト有無判定部によりゴーストが発生していると判定された分割エリアの各緑色検出画素の検出信号と、前記各緑色検出画素とペアを構成する画素の検出信号との差分を、前記画質差を示すデータとして算出するものである。
【００８５】
開示された撮像装置は、前記第一の閾値及び前記第二の閾値は、撮影条件に応じて変更されるものである。
【００８６】
開示されたゴースト補正方法は、それぞれが複数の画素を含む２つの画素群を有する固体撮像素子により撮像して得られる撮像画像のゴーストを補正するゴースト補正方法であって、各画素群の前記複数の画素は、二次元状に配列された、緑色光を検出する緑色検出画素、青色光を検出する第二色検出画素、及び赤色光を検出する第三色検出画素の３種類の画素を含むものであり、各画素群の前記複数の画素の配列は、前記緑色検出画素と前記青色検出画素を行方向に交互に並べた第一の画素行と、前記赤色検出画素と前記緑色検出画素を行方向に交互に並べた第二の画素行とを、前記行方向に直交する列方向に交互に並べたものとなっており、前記２つの画素群の一方の画素群の各画素には、前記各画素に対して所定方向に前記２つの画素群の他方の画素群の当該各画素と同一種類の画素が隣接して配置されており、前記一方の画素群の各画素の光学開口と、前記他方の画素群の各画素の光学開口とは、互いに逆方向に偏心しており、前記一方の画素群の各画素と、前記各画素に対して前記所定方向に隣接して配置される前記他方の画素群の画素とで画素のペアが構成され、前記一方の画素群を分割して得られる、前記第一の画素行に含まれる前記緑色検出画素と前記第二の画素行に含まれる前記緑色検出画素とをそれぞれ少なくとも１つ含む分割エリア毎に、前記分割エリアに含まれる各緑色検出画素の検出信号を用いて、前記分割エリアと前記分割エリアの各緑色検出画素とペアを構成する画素が配置される前記他方の画素群のエリアとにゴーストが発生しているか否かを判定するゴースト有無判定ステップと、前記ゴースト有無判定ステップによりゴーストが発生していると判定された分割エリアの各緑色検出画素の検出信号と、前記各緑色検出画素とペアを構成する画素の検出信号とを用いて、前記ゴーストが発生していると判定された分割エリア及び前記他方の画素群のエリアにそれぞれ発生しているゴーストの画質差を示すデータを算出するゴースト画質差算出ステップと、前記画質差を示すデータが第一の閾値を越える場合、前記画質差を示すデータが前記第一の閾値以下となるように、前記分割エリアの各緑色検出画素の検出信号と、前記各緑色検出画素とペアを構成する画素の検出信号との少なくとも一方を補正する信号補正ステップとを備えるものである。
【００８７】
開示されたゴースト補正方法は、前記分割エリアは、前記第一の画素行に含まれる前記緑色検出画素と前記第二の画素行に含まれる前記緑色検出画素とをそれぞれ複数含み、前記ゴースト有無判定ステップでは、前記分割エリアに含まれる、前記第一の画素行に含まれる前記緑色検出画素の検出信号の平均値と、前記分割エリアに含まれる、前記第二の画素行に含まれる前記緑色検出画素の検出信号の平均値との差分を表す第一の差分が第二の閾値以上の場合に、前記分割エリア及び前記他方の画素群のエリアに前記ゴーストが発生していると判定し、前記ゴースト画質差算出ステップでは、前記ゴースト有無判定部によりゴーストが発生していると判定された分割エリアの各緑色検出画素の検出信号の平均値と、前記各緑色検出画素とペアを構成する画素の検出信号の平均値との差分を、前記画質差を示すデータとして算出するものである。
【００８８】
開示されたゴースト補正方法は、前記分割エリアは、前記第一の画素行に含まれる前記緑色検出画素と、前記第一の画素行に含まれる前記青色検出画素と、前記第二の画素行に含まれる前記緑色検出画素と、前記第二の画素行に含まれる前記赤色検出画素とを１つずつ含み、前記ゴースト有無判定ステップでは、前記分割エリアに含まれる、前記第一の画素行に含まれる前記緑色検出画素の検出信号と、前記分割エリアに含まれる、前記第二の画素行に含まれる前記緑色検出画素の検出信号との差分が第二の閾値以上の場合に、前記分割エリア及び前記他方の画素群のエリアに前記ゴーストが発生していると判定し、前記ゴースト画質差算出ステップでは、前記ゴースト有無判定部によりゴーストが発生していると判定された分割エリアの各緑色検出画素の検出信号と、前記各緑色検出画素とペアを構成する画素の検出信号との差分を、前記画質差を示すデータとして算出するものである。
【００８９】
開示されたゴースト補正方法は、前記第一の閾値及び前記第二の閾値を撮影条件に応じて変更するものである。
【符号の説明】
【００９０】
５  固体撮像素子
５２  第一の画素群の画素
５３  第二の画素群の画素
５２ｋ，５３ｋ  光学開口
１１  システム制御部
【図１】
2014158061.tif 000003
【図２】
2014158061.tif 000004
【図３】
2014158061.tif 000005
【図４】
2014158061.tif 000006
【図５】
2014158061.tif 000007
【図６】
2014158061.tif 000008
【図７】
2014158061.tif 000009